(57)【特許請求の範囲】
【請求項１】
鏡餅が収納包装されている供物載置用の三方台部となる平面視矩形状の箱体Ａと、該箱体Ａの四側板上端部外周に上方より嵌合して三方台部の上枠部として組み立て折り畳み可能な平面視矩形状の上枠体Ｂを備えた鏡餅包装箱であって、鏡餅が収納包装されている供物載置用の三方台部となる平面視矩形状の箱体Ａと、該箱体Ａの外周の上端部に、上板、外側板、下板、内側板、支持板とを順に連設して外側に張り出すように設けた枠部Ｂ1 、Ｂ2 、Ｂ3 、Ｂ4 を備え、前記箱体Ａの側板上端部に前記枠部Ｂ1 、Ｂ2 、Ｂ3 、Ｂ4 による平面視矩形状の上枠体Ｂが形成されていることを特徴とする鏡餅包装箱。
【請求項２】
鏡餅が収納包装されている供物載置用の三方台部となる平面視矩形状の箱体Ａと、該箱体Ａの四側板上端部外周に三方台部の上枠部として組み立て折り畳み可能な平面視矩形状の上枠体Ｂを備えた鏡餅包装箱であって、鏡餅が収納包装されている供物載置用の三方台部となる平面視矩形状の箱体Ａと、該箱体Ａの対向する一対の側板上端部に、水平下板と垂直外側板と水平上板とを順に連設して外側に張り出すように設けた枠部Ｂ1 、Ｂ2 と、それぞれ該枠部Ｂ1 、Ｂ2 の両端張出部に側方より嵌合して取り付け可能な他の対向する一対の枠部Ｂ3 、Ｂ4 を備え、前記箱体Ａの側板上端部に前記枠部Ｂ1 、Ｂ2 、Ｂ3 、Ｂ4 による平面視矩形状の上枠体Ｂが形成されていることを特徴とする鏡餅包装箱。
【請求項３】
前記箱体Ａに四方紅紙Ｃが添付若しくは収納包装されている請求項１又は請求項２記載の鏡餅包装箱。
【発明の詳細な説明】
【０００１】
【発明の属する技術分野】
本発明は、鏡餅を包装した外箱を利用して、神前や仏前に供物をお供えするための三方を組み立てできるようにした三方を兼用する鏡餅包装箱に関する。
【０００２】
【従来の技術】
一般に、鏡餅は、大小二段重ねにした状態などによって、合成樹脂製の鏡餅形状容器を用いて包装して市販されており、その他に、板紙や段ボール製などの外装用の外箱に入れて包装したものが市販されている。
【０００３】
このような鏡餅は、例えば、神前や仏前のお供え物として、通常は木製の三方などの台に載せてお供えする場合があり、特に最近では安価な紙製のものを組み合わせるなどして組み立てた三方を使用する場合が多くなっている。そこで、包装に使用した外箱を購買者が三方形状に組み立てられ易いように作製することにより、紙箱など包装用の外箱を三方として兼用することが可能であれば便利である。
【０００４】
【発明が解決しようとする課題】
上記のお供え用の一般的な三方の外観形状は、三方台部と、その台部上端の外周に沿って設けられた上枠部とによる周知の定型化された形状であり、このような周知の外観形状を呈する三方を、鏡餅を包装した外箱を利用して組み立て作製する場合にはその組み立てを購買者などが容易にできることが必要がある。
【０００５】
本発明は、周知の外観形状を呈する三方を、鏡餅を包装した外箱を利用して容易に組み立てできるようにすることにある。
【０００６】
【課題を解決するための手段】
本発明の第１の発明は、鏡餅が収納包装されている供物載置用の三方台部となる平面視矩形状の箱体Ａと、該箱体Ａの四側板上端部外周に上方より嵌合して三方台部の上枠部として組み立て折り畳み可能な平面視矩形状の上枠体Ｂを備えた鏡餅包装箱であって、鏡餅が収納包装されている供物載置用の三方台部となる平面視矩形状の箱体Ａと、該箱体Ａの外周の上端部に、上板、外側板、下板、内側板、支持板とを順に連設して外側に張り出すように設けた枠部Ｂ1 、Ｂ2 、Ｂ3 、Ｂ4 を備え、前記箱体Ａの側板上端部に前記枠部Ｂ1 、Ｂ2 、Ｂ3 、Ｂ4 による平面視矩形状の上枠体Ｂが形成されていることを特徴とする鏡餅包装箱である。
【０００７】
本発明の第２の発明は、鏡餅が収納包装されている供物載置用の三方台部となる平面視矩形状の箱体Ａと、該箱体Ａの四側板上端部外周に三方台部の上枠部として組み立て折り畳み可能な平面視矩形状の上枠体Ｂを備えた鏡餅包装箱であって、鏡餅が収納包装されている供物載置用の三方台部となる平面視矩形状の箱体Ａと、該箱体Ａの対向する一対の側板上端部に、水平下板と垂直外側板と水平上板とを順に連設して外側に張り出すように設けた枠部Ｂ1 、Ｂ2 と、それぞれ該枠部Ｂ1 、Ｂ2 の両端張出部に側方より嵌合して取り付け可能な他の対向する一対の枠部Ｂ3 、Ｂ4 を備え、前記箱体Ａの側板上端部に前記枠部Ｂ1 、Ｂ2 、Ｂ3 、Ｂ4 による平面視矩形状の上枠体Ｂが形成されていることを特徴とする鏡餅包装箱である。
【０００８】
また本発明は、上記第１の発明、又は第２の発明の鏡餅包装箱において、前記箱体Ａに四方紅紙Ｃが添付若しくは収納包装されている鏡餅包装箱である。
【０００９】
【発明の実施の形態】
［第１の発明の箱体について］
第１の発明の鏡餅包装箱の実施の形態を以下に詳細に説明する。
図１は、第１の発明の鏡餅包装箱の箱体Ａ本体のブランクシートであり、矩形状底板１の対向する一対の端部に折目ａ、ａを介してそれぞれ側板２、２が連設され、他の対向する一対の端部のうち一方の端部に折目ｂを介して側板３が連設され、他方の端部に折目ｃ、ｇを介してそれぞれ側板４、蓋板５が連設されている。なおブランクシートの素材としては、板紙や段ボールシート、あるいはこれらを主体として合成樹脂フィルムなどを組み合わせた複合シートなどが使用可能であるが特に限定はされない。
【００１０】
また、各々側板２、２の外端部には折目ｄ、ｄを介してフラップ２ａ、２ａが連設され、また、側板３の両側端部には折目ｅ、ｅを介して貼着板３ａ、３ａが連設され、また、側板４の両側端部には折目ｆ、ｆを介して貼着板４ａ、４ａが連設され、また、蓋板５の外端部には折目ｈを介して差し込み板５ａが連設されている。
【００１１】
少なくとも側面部となる前記各々側板２、２と、正面部となる側板４には、一般に供物載置用三方の台部側部に形成される松葉など植物の葉を簡略表現化（デフォルメ化）した図柄パターン９が形成されている。該パターン９は、印刷柄又は打ち抜き柄（切り抜き若しくは切り取り線の刻切）、又はその両方のいずれでも良い。例えば図柄パターン９が打ち抜き柄の場合は、その側板２、２、４の内面側に透明フィルムを貼り合わせることも可能である。
【００１２】
［上記第１の発明の箱体Ａの組立について］
上記箱体Ａとなるブランクシートから箱体Ａを組み立てる場合は、まず、側板２、２、３、４を、折目ａ、ａ、ｂ、ｃに沿って起立させた後に、各々貼着板３ａ、３ａと各々貼着板４ａ、４ａとを、側面板２、２の両側端部の内面に貼着して、図５（ａ）に示すような箱体Ａが形成され、この箱体Ａを三方の台部とするものである。
【００１３】
［上記第１の発明の上枠体Ｂについて］
図２は、組み立て折り畳み可能な平面視矩形状の上枠体Ｂのブランクシートであり、上記箱体Ａの四側板２、２、３、４の上端部外周に上方より嵌合して三方の台部の上枠体Ｂとなるものである。
【００１４】
上枠体Ｂは、図２に示すように平行な折目ａ、ｂ、ｃ、ｄを介して、細長いそれぞれ上板１１、外側板１２、下板１３、内側板１４、支持板１５が連設されている。なお、上板１１の幅は、他の下板１３、内側板１４、支持板１５の幅に比較して広く設定されている。
【００１５】
さらに、図２に示すように、四つの前記外側板１２、１２、１２、１２が、各折目ｅ、ｅ、ｅを介して連設され、それぞれ外側板１２には、折目ａ、ｂ、ｃ、ｄを介して上板１１、下板１３、内側板１４、支持板１５が連設され、これらの四つの外側板１２、１２、１２、１２によって連続した平面視矩形状の上枠体Ｂの各枠部Ｂ1 、Ｂ2 、Ｂ3 、Ｂ4 が構成される。
【００１６】
そして、連設してなる外側板１２の一端には折目ｆを介して貼着板１６が連設されている。
【００１７】
また上記上枠体Ｂは、図２のブランクシートに示すように、枠部Ｂ1 、Ｂ2 、Ｂ3 、Ｂ4 における上板１１及び下板１３の一端部（図２に示す各枠部Ｂ1 、Ｂ2 、Ｂ3 、Ｂ4 の左端部）を、折目ａ、ｂに対して４５°に傾斜する傾線により構成し、そして内側板１４及び支持板１５を外側板１２より短く形成するようにしてもよい。
【００１８】
また上記上枠体Ｂは、図２のブランクシートに示すように、枠部Ｂ1 、Ｂ2 、Ｂ3 、Ｂ4 における上板１１及び下板１３の他端部（図２に示す各枠部Ｂ1 、Ｂ2 、Ｂ3 、Ｂ4 の右端部）を、折目ｅの延長線と折目ａ、ｂに対して４５°に傾斜する傾線とにより構成し、そして内側板１４及び支持板１５を外側板１２より短く形成するようにしてもよい。
【００１９】
［上記第１の発明の上枠体Ｂの組立について］
上記図２に示す上枠体Ｂとなるブランクシートから、上枠体Ｂを組み立てる場合は、四つの各枠部Ｂ1 、Ｂ2 、Ｂ3 、Ｂ4 の各上板１１、下板１３、内側板１４、支持板１５を、その折目ａ、ｂ、ｃ、ｄを同一方向に直角に折り曲げて、図５（ｂ）の部分斜視図に示すように四角形筒状に巻き込み、必要に応じて上板１１の下面に支持板１５を貼着固定し、続いて、各枠部Ｂ1 、Ｂ2 、Ｂ3 、Ｂ4 の接続部分の各折目ｅを、図５（ｃ）に示すように同一方向に折り曲げ、さらに各折目ｅを直角に折り曲げて、その枠部Ｂ1 、Ｂ4 の両端部を貼着板１６によって接着剤若しくはステッチャーなど金具にて接合固定し、枠部Ｂ1 、Ｂ2 、Ｂ3 、Ｂ4 による平面視矩形状の上枠体Ｂを組み立てるものである。
【００２０】
上記上枠体Ｂは、その各上板１１、下板１３、内側板１４、支持板１５を平行四辺形の四角形筒状とすることにより、図５（ｂ）に示すように偏平状態から角筒体の状態に立ち起こすことができる。また、上記上枠体Ｂは、図５（ｂ）に示すように偏平状態において折目ｅを介してジグザク折りにして折り畳み、箱体Ａ内に収納しておくこともできる。なお、図５（ｄ）は上枠体Ｂの折目ｅの折り曲げ部分Ｍにおける部分拡大斜視図、図５（ｅ）は上枠体Ｂの折り畳み状態を示す全体斜視図である。
【００２１】
図６（ａ）は、上記箱体Ａ内に、上枠体Ｂと鏡餅Ｃとを一緒に収納包装し、また、必要に応じて、四方紅紙（図示せず）も一緒に包装した状態を示す。
【００２２】
［前記箱体Ａ台部と上枠体Ｂとの嵌合組立について］
図６（ａ）に示す箱体Ａの蓋板５を開放して、箱体Ａ内より上枠体Ｂと鏡餅Ｃとを取り出し、続いて蓋板５を施蓋した後に、図６（ｂ）に示すように、箱体Ａの上端部の外周に上枠体Ｂを嵌合するとともに、内側板１４より内側に張り出した上板１１部分を箱体Ａの蓋板５上に被せて上枠体Ｂを箱体Ａ上に固定して、図６（ｃ）に示すような、箱体Ａを三方の台部として上枠体Ｂを取り付けた供物載置用の三方が形成され、蓋板５上に四方紅紙を載置し、その上に鏡餅Ｃをお供えするものである。
【００２３】
［第２の発明の箱体及び上枠体の一部について］
次に、第２の発明の鏡餅包装箱の実施の形態を以下に詳細に説明する。
【００２４】
図３は、第２の発明の鏡餅包装箱の箱体Ａ本体のブランクシートであり、矩形状底板２１の対向する一対の端部に折目ａ、ａを介してそれぞれ側板２２、２２が連設され、他の対向する一対の端部のうち一方の端部には、折目ｂを介して側板２３が連設され、また折目ｂに沿ってその中央部には切込部２１ａを備えている。
【００２５】
該側板２３には、折目ｄ、ｅ、ｆを介して、箱体の外側に張り出して形成される第２の発明の上枠体Ｂの一部の枠部Ｂ1 となる水平下板２４ｂ、垂直外側板２４ｃ、水平上板２４がこの順に連設され、それぞれ該水平下板２４ｂ、垂直外側板２４ｃ、水平上板２４の左右両端部には折目ｋ、ｋを介して折り出し折り込み可能に、外側に張り出した嵌合用受板２４ａ、２４ａが連設されている。
【００２６】
また他の対向する一対の端部のうち他方の端部には折目ｃを介して側板２５が連設され、該側板２５には折目ｇ、ｈ、ｉを介して、箱体の外側に張り出して形成される上枠体Ｂの一部の枠部Ｂ2 となる水平下板２６ｂ、垂直外側板２６ｃ、水平上板２６が、この順に連設され、それぞれ該水平下板２６ｂと、垂直外側板２６ｃと、水平上板２４との左右両端部には折目ｎ、ｎを介して折り出し折り込み可能に、外側に張り出した嵌合用受板２６ａ、２６ａが連設されている。
【００２７】
そして、前記側板２３、２５の両側部には、それぞれ折目ｊ、ｊ、ｍ、ｍを介して貼着板２３ａ、２３ａ、２５ａ、２５ａが連設されている。
【００２８】
また、水平上板２４には、後述する組み立てによってその両者が重ね合わせられた際に互いに係止される切込部２８を、また水平上板２６には、該切込部２８内に差し込み係止する差込板２６ｄを備えている。
【００２９】
上記第２の発明の箱体Ａにおいては、それぞれ側板２２、２２の外端部に折目ｑ、ｑを介して、前記水平上板２４、２６と直交する方向に重ね合わせられる水平重合板２７、２７が必要に応じて連設され、該水平重合板２７、２７には、両者を重ね合わせた際に水平に係止するためのそれぞれ切込部２７ａ、２７ａを備えている。
【００３０】
そして、少なくとも三方台部の側面部となる前記各々側板２２、２２と、三方の台部の正面部となる側板２５には、一般に供物載置用三方の台部側部に形成される松葉など植物の葉を簡略表現化（デフォルメ化）した図柄パターン９がそれぞれ形成されている。該パターン９は、印刷柄でも良いし、打ち抜き柄（切り抜き若しくは切り取り線の刻切）柄でもいずれでも良い。例えば図柄パターン９が打ち抜き柄の場合は、その側板２２、２２、２５の内面側に透明フィルムを貼り合わせるようにする。
【００３１】
［上記第２の発明の箱体Ａの組立について］
図３に示したブランクシートから、第２の発明の箱体Ａを組み立てる場合は、まず側板２２、２２、２３、２５を、折目ａ、ａ、ｂ、ｃに沿って起立させた後に折り立てた後、各々貼着板２３ａ、２３ａと各々貼着板２５ａ、２５ａとを、側面板２２、２２の両側端部の内面に貼着して、図７（ａ）〜（ｂ）に示すような箱体Ａが形成される。
【００３２】
この箱体Ａ内には図７（ａ）に示すように、鏡餅Ｃ（必要に応じて一緒に上枠体Ｂの一部）を収納包装し、また必要に応じて正方形状の四方紅紙（図示せず）も一緒に収納する。
【００３３】
図７（ａ）に示すように鏡餅Ｃを収納包装する場合は、図７（ｂ）に示す箱体Ａ内に鏡餅Ｃを収納した後に、まず重合板２７、２７を設けた場合は、折目ｑ、ｑを介して内方に水平に折り込み、切欠部２７ａ、２７ａ同士を係合して固定する。
【００３４】
続いて、それぞれ嵌合用受板２４ａ、２４ａ、２５ａ、２５ａを折目を介して内方に直角に折り込み、水平上板２４を水平下板２４ｂと垂直外側板２４ｃと共に折目ｄを介して内方に水平に折り込み、水平上板２６を水平下板２６ｂと垂直外側板２６ｃと共に折目ｇを介して内方に水平に折り込んで、水平上板２４の上に水平上板２６を重ね合わせ、蓋板２６の差込板２６ｄを切込部２１ａ内に差し込み施蓋して、図７（ａ）に示すように鏡餅Ｃを収納包装する。
【００３５】
［上記第２の発明の上枠体の他の一部の枠部及びその組立について］
図４は、上記第２の発明の上枠体Ｂの一部の枠部Ｂ3 、Ｂ4 のブランクシートであり、それぞれ枠部Ｂ3 、Ｂ4 は、細長い外側板３１の両側に折目ａ、ｂを介してそれぞれ水平上板３２、水平下板３３が連設され、該上板３２の外端部には外側から切り込みを入れて形成した切込部３２ａ、該下板３３の外端部には外側から切り込みを入れて形成した切込部３３ａを備えている。
【００３６】
この枠部Ｂ3 、Ｂ4 は折目ａ、ｂを介して外側板３１に対して水平上板３２、水平下板３３を直角に折り曲げ、図７（ｃ）に示すように、コの字型の一対の枠部Ｂ3 、Ｂ4 として組み立る。
【００３７】
［上記第２の発明の箱体から三方台部と上枠体の組立について］
この第２の発明における箱体Ａを三方台部として組み立てる方法を図７（ａ）〜（ｄ）、図８に従って以下に説明する。
【００３８】
まず、図７（ａ）に示す箱体Ａの蓋板２６を開放して、図７（ｂ）に示すように箱体Ａ内より鏡餅Ｃを取り出した後、まず、重合板２７、２７が設けられている場合には、これを折目ｑ、ｑを介して内方に水平に折り込み、切欠部２７ａ、２７ａ同士を係合して水平に固定する。
【００３９】
次に、上板２４、２６の両側に折り込まれている嵌合用受板２４ａ、２４ａ、２５ａ、２５ａを折目ｋ、ｍを介して図７（ｂ）に示すように外方に張り出すように水平に折り出し、続いて、図７（ｄ）に示すように、上板２４、２６の水平下板２４ａ、２６ａを、それぞれ折目ｄ、ｇを介して側板２３、２５より外方に水平に折り出し、続いて垂直外側板２４ｂ、２６ｂを折目ｅ、ｈを介して垂直に折り曲げ、さらに水平上板２４、２６を折目ｆ、ｉを介して水平に折り曲げる。
【００４０】
そして、図８に示すように、折目ｆ、ｉを介して水平に折り曲げた水平上板２４、２６を互いに重ね合わせ、水平上板２４の切込部２８に水平上板２６の差込板６ｄを差し込んで固定する。これによって、箱体Ａによる三方台部と、箱体Ａの対向する側板２３、２５上端部に外方に張り出た上枠体Ｂの一部の枠部Ｂ1 、Ｂ2 が完成する。
【００４１】
続いて、同図８に示すように、箱体Ａの対向する一対の前記枠部Ｂ1 、Ｂ2 に対して直交方向に対向する水平上板２４、２６の両端縁に沿って、枠部Ｂ1 、Ｂ2 の両端に張り出た嵌合用受板２４ａに側方より、図７（ｃ）に示した他の枠部Ｂ3 、Ｂ4 を嵌合する。
【００４２】
このようにして、図９に示すように、箱体Ａによる三方台部と、その箱体Ａの四側板上端部に外方に張り出たそれぞれ枠部Ｂ1 、Ｂ2 、Ｂ3 、Ｂ4 からなる上枠体Ｂとによる三方が組み立てられる。
【００４３】
【発明の効果】
本発明の鏡餅包装箱は、お供え用の一般的な三方の外観形状に近い形状に容易に組み立てることができ、鏡餅を包装箱から取り出した後は、その包装箱をお供え用の三方として兼用することができる。
【図面の簡単な説明】
【図１】第１の発明の鏡餅包装箱における箱体のブランクシート。
【図２】第１の発明の鏡餅包装箱における上枠体のブランクシート。
【図３】第２の発明の鏡餅包装箱における箱体及び上枠体の一部の枠部のブランクシート。
【図４】第２の発明の鏡餅包装箱における上枠体の一部のブランクシート。
【図５】（ａ）は第１の発明の鏡餅包装箱における箱体の組立斜視図、（ｂ）はその上枠体の部分組立斜視図、（ｃ）はその上枠体の全体組立斜視図、（ｄ）はその上枠体の折目ｅ部分の部分拡大斜視図、（ｅ）は第１の発明の鏡餅包装箱における上枠体の折り畳み状態を示す斜視図。
【図６】（ａ）は第１の発明の鏡餅包装箱における箱体の組立側面図、（ｂ）は第１の発明の鏡餅包装箱における箱体と上枠体による三方の組立斜視図、（ｃ）はその三方の組立完成斜視図。
【図７】（ａ）は第２の発明の鏡餅包装箱における箱体の組立側面図、（ｂ）は第２の発明の鏡餅包装箱における箱体の組立斜視図、（ｃ）は第２の発明の鏡餅包装箱における上枠体の一部の枠部の組立斜視図、（ｄ）は第２の発明の鏡餅包装箱における箱体による三方の組立斜視図。
【図８】第２の発明の鏡餅包装箱における箱体による三方の組立斜視図。
【図９】第２の発明の鏡餅包装箱における三方の組立完成斜視図。
【符号の説明】
Ａ…箱体  Ｂ…上枠体  Ｂ1 、Ｂ2 、Ｂ3 、Ｂ4 …枠部
１…底板  ２…側板  ３…側板  ４…側板  ５…蓋板  ９…図形パターン
１１…上板  １２…外側板  １３…下板  １４…内側板  １５…支持板
１６…貼着板
２１…底板  ２１ａ…切込部  ２２…側板  ２３…側板  ２４…水平上板
２４ａ…嵌合用受板  ２４ｂ…水平下板  ２４ｃ…垂直外側板  ２５…側板
２６…水平上板  ２６ａ…嵌合用受板  ２６ｂ…水平下板  ２６ｃ…垂直外側板
２６ｄ…差込板  ２７…重合板  ２８…切込部
３１…外側板  ３２…水平上板  ３３…水平下板
ａ〜ｋ…折目  ｍ〜ｎ…折目  ｑ…折目
【図１】
0004066470.tif 000002
【図２】
0004066470.tif 000003
【図３】
0004066470.tif 000004
【図４】
0004066470.tif 000005
【図５】
0004066470.tif 000006
【図６】
0004066470.tif 000007
【図７】
0004066470.tif 000008
【図８】
0004066470.tif 000009
【図９】
0004066470.tif 000010